(57)【要約】【課題】通路上の２箇所に設置された人体検知センサー付きの親照明器具の一方を点灯又は消灯したときに、両端の２つの親照明器具の中間に設置される1つ以上の子照明器具を含む全ての照明器具を同時に点灯又は消灯させることができる親子制御型人感照明システム及び方法を提供する。【解決手段】人体検知センサーと電流検知部を有した親照明器具とこれと同一仕様の第２の親照明器具とが通路上の２箇所に設置され、この２箇所の間に電流検知部を有するが人体検知センサーを有しない子照明器具が１つ以上設置され、設置した全ての照明器具は交流電源に並列的に接続され、一方の親照明器具の電流検知部と子照明器具の電流検知部は互いに直列的に接続され、１つ以上の子照明器具は２箇所の親照明器具の点灯情報を得て点灯制御され、２箇所の親照明器具の一方が人体検知で点灯又は消灯したときに全ての照明器具が同時に点灯又は消灯される。【選択図】図５
2012084233.tif 000002
【特許請求の範囲】
【請求項１】
人体検知センサーと電流検知部とを有した相互制御型人感照明器具とこれと同一仕様の第２の相互制御型人感照明器具とが通路上の２箇所に親照明器具として設置され、前記２箇所の親照明器具の間に、電流検知部を有するが人体検知センサーを有しない照明器具が子照明器具として１つ以上設置され、設置した全ての照明器具の交流端子は交流電源に対して並列的に接続され、且つ前記２箇所の親照明器具の一方の電流検知部と前記１つ以上の子照明器具の電流検知部は互いに直列的に接続される構成とされ、
前記１つ以上の子照明器具はその両端の前記２箇所の親照明器具の点灯情報を得て点灯制御され、
前記２箇所の親照明器具のいずれか一方が人体検知で点灯又は消灯したときに前記全ての照明器具が同時に点灯又は消灯される
ことを特徴とする親子制御型人感照明システム。
【請求項２】
前記親照明器具は、
人体からの赤外線を検知する人体検知センサーと、
交流電源から前記照明負荷に直列に接続されて該照明負荷に電力を供給するためのスイッチ素子と、
人体検知時に前記照明負荷に流れる電流を検知する電流検知部と、
前記人体検知センサーの出力及び又は前記電流検知部の出力に応じて前記スイッチ素子をオン・オフさせる制御部と、
前記電流検知部の電流検知信号に基づいて前記照明負荷が点灯し続けるのを停止するために前記電流検知信号を遮断する遮断部と、を備え、
前記電流検知部の一端が前記交流電源から前記照明負荷と並列的に接続され、前記電流検知部の他端が前記親照明器具と同一仕様の第２の親照明器具の一方の交流端子に接続される構成となっている
ことを特徴とする請求項１に記載の親子制御型人感照明システム。
【請求項３】
前記子照明器具は、
交流電源から前記照明負荷に直列に接続されて該照明負荷に電力を供給するためのスイッチ素子と、
前記親照明器具での人体検知時に前記照明負荷に流れる電流を検知する電流検知部と、
前記電流検知部の出力に応じて前記スイッチ素子をオン・オフさせる制御部と、
を備えたことを特徴とする親子制御型人感照明システム。
【請求項４】
通路上の両端の２箇所に設置された２つの人体検知センサー付き相互制御型人感照明器具の中間に、少なくとも１つの人体検知センサーを有しない子照明器具が設置され、
前記人体検知センサーを有しない子照明器具は、前記両端の２箇所の人体検知センサー付き相互制御型人感照明器具の点灯情報を得て点灯制御され、
前記両端の２箇所の人体検知センサー付き相互制御型人感照明器具のいずれか一方が人体検知に基づき点灯又は消灯したときに、設置された全ての照明器具が同時に点灯又は消灯される
ことを特徴とする親子制御型人感照明システムの点灯制御方法。
【発明の詳細な説明】
【技術分野】
【０００１】
本発明は、階段の上下や長い廊下の両端の２箇所に設置された親子制御型人感照明器具の中間に複数の人感センサーを有しない子照明器具を設置して、階段の上下または長い廊下の両端に設置されたどちらか一方の親子制御型人感照明器具の点灯時に同時に全ての照明器具を点灯させる親子制御型人感照明システム及びその点灯制御方法に関するものである。
【背景技術】
【０００２】
従来、例えば階段を照明する方法として、１個の照明器具を階段近辺の壁や天井に設置し、階段の上下にそれぞれ３路スイッチを設置して階段の上り降り時に階段全体を照明する方法と、階段利用時にその足元を照らす足元灯を数箇所に設置する方法がある。
【０００３】
後者の照明方法は階段の上下または途中の踊り場の少なくとも２箇所以上に階段照明用足元灯が設置される。この場合、各々の足元灯は独立しているのが現状である。
【０００４】
１つの照明器具を、２箇所に設置してある人体検知センサー(通常、人感センサーと呼ばれる)を利用した電子スイッチでオン・オフ制御する所謂３路スイッチは、例えば特許文献１及び特許文献２に開示されている。
【０００５】
しかしながら、これらの特許文献１及び２を含めた先行技術文献においては、２箇所に設置された人体検知センサー付照明器具の何れか一方で数箇所の照明器具を同時点灯させる方法に関する技術については、開示されていない。
【先行技術文献】
【特許文献】
【０００６】
【特許文献１】特許第３５９６３０９号公報
【特許文献２】特許第４１３４１２５号公報
【発明の概要】
【発明が解決しようとする課題】
【０００７】
そこで、本発明は、通路上の２箇所に設置された人体検知センサー付き照明器具の中間に複数の人体検知センサーを有しない照明器具を設置し、両端の２箇所の人体検知センサー付き照明器具のいずれか一方を点灯又は消灯したときに全ての照明器具を同時に点灯又は消灯させることができる親子制御型人感照明システム及びその点灯制御方法を提供することを目的としている。
【課題を解決するための手段】
【０００８】
本発明の親子制御型人感照明システムは、 人体検知センサーと電流検知部とを有した相互制御型人感照明器具とこれと同一仕様の第２の相互制御型人感照明器具とが通路上の２箇所に親照明器具として設置され、前記２箇所の親照明器具の間に、電流検知部を有するが人体検知センサーを有しない照明器具が子照明器具として１つ以上設置され、設置した全ての照明器具の交流端子は交流電源に対して並列的に接続され、且つ前記２箇所の親照明器具の一方の電流検知部と前記１つ以上の子照明器具の電流検知部は互いに直列的に接続される構成とされ、
前記１つ以上の子照明器具はその両端の前記２箇所の親照明器具の点灯情報を得て点灯制御され、
前記２箇所の親照明器具のいずれか一方が人体検知で点灯又は消灯したときに前記全ての照明器具が同時に点灯又は消灯されることを特徴とする。
【発明の効果】
【０００９】
本発明によれば、通路上の２箇所に設置された人体検知センサー付き照明器具の中間に複数の人体検知センサーを有しない照明器具を設置し、両端の２箇所の人体検知センサー付き照明器具のいずれか一方を点灯又は消灯したときに全ての照明器具を同時に点灯又は消灯させることができる親子制御型人感照明システム及びその点灯制御方法を実現できる。
【図面の簡単な説明】
【００１０】
【図１】本発明の第１の実施形態の親子制御型人感照明システムに用いられる人体検知センサー付き相互制御型人感照明器具の概略的な回路構成図。
【図２】図１の人体検知センサー付き相互制御型人感照明器具と共に使用される人体検知センサーを有しない子照明器具の概略的な回路構成図。
【図３】図１の人体検知センサー付き相互制御型人感照明器具の詳細な回路構成を示す回路図。
【図４】図１の人体検知センサー付き相互制御型人感照明器具と共に使用される人体検知センサーを有しない子照明器具の詳細な回路構成を示す回路図。
【図５】２つの人体検知センサー付き相互制御型人感照明器具の間に、人体検知センサーを有しない子照明器具を配線接続した構成を示す構成図。
【図６】図５において設置された全ての照明器具の同時点灯及び同時消灯の動作を説明するタイミングチャート。
【図７】タイマー出力のオフタイミングを基に生成する電流検知遮断信号のパルス幅を、スイッチ素子として用いる素子の種類に応じて変更する必要があることを説明する図。
【図８】本発明の第２の実施形態の親子制御型人感照明システムに用いられる人体検知センサー付き相互制御型人感照明器具の詳細な回路構成を示す回路図。
【発明を実施するための形態】
【００１１】
以下、本発明の実施の形態について図面を参照して説明する。  
［第１の実施形態］
図１は本発明の第１の実施形態の親子制御型人感照明システムに用いられる人体検知センサー付き相互制御型人感照明器具の概略的な回路構成図を示している。 
図１において、第１の実施形態の相互制御型人感照明器具１０は、人体から放射される赤外線を検知する焦電センサーと呼ばれる人体検知センサーＰＥＤと、人体検知センサーＰＥＤの出力に基づいて人体検知信号を生成する人体検知センサー部１２と、発光ダイオード(以下、ＬＥＤ)による照明負荷１４と、商用交流電源ＡＣ(１００Ｖ)から照明負荷１４への給電路に挿入されるＭＯＳＦＥＴ等のスイッチ素子Ｑ1と、照明負荷１４へ電源電圧を供給する照明用電源部１１-1及び制御用電源部１１-2を含む電源部１１と、交流電源ＡＣの一端に接続され、人体検知時に照明負荷１４に流れる電流を検知する電流検知部１５と、人体検知センサー部１２からの人体検知信号に基づくタイマー信号と電流検知部１５からの電流検知信号との論理和をとり、その論理和出力を点灯制御信号としてスイッチ素子Ｑ1のゲートに供給するためのオア回路１６と、人体検知センサー部からの人体検知信号に基づいて所定時間のタイマー信号を生成するタイマー機能と、２つの相互制御型人感照明器具が各々の電流検知部の電流検知出力に基づき点灯し続ける現象を無くして消灯させるために第２の相互制御型人感照明器具で発生するタイマー信号のオフタイミングに基づいて電流検知遮断信号を生成する機能とを有するマイコン１３と、２つの相互制御型人感照明器具を連結配線したとき(図５参照)、それら２つの相互制御型人感照明器具が各々の電流検知部の電流検知出力に基づき点灯し続けるのを停止(消灯)させるために前記電流検知遮断信号で電流検知出力を一時的に遮断させる電流検知信号ライン上に設けられた遮断部２０と、前記人体検知センサー部１２と前記マイコン１３とオア回路１６と遮断部２０とを備え、人体検知センサーＰＥＤの出力及び又は電流検知部１５の出力に基づいて生成した点灯制御信号に応じてスイッチ素子Ｑ1をオン・オフさせる制御部１７と、交流端子１と、交流端子２と、電流検知端子３と、交流電源ＡＣに対して配線が正常行なわれたかを確認するためのネオン管１８と、を備えている。オア回路１６と遮断部２０とは、マイコン１３の論理的な演算処理機能として組み込むことも可能である。
【００１２】
さらに、制御部１７は、相互に接続される２つの相互制御型人感照明器具１０Ａ(図３５参照)のうちの一方の照明器具が人体検知に基づき先に点灯しタイマー動作を開始することによってもう一方の照明器具１０Ｂもそのときの負荷電流の電流検知に基づき同時的に点灯し、その後に人が階下から階上に移動などしてある時間経過してもう一方の照明器具１０Ｂが人体を検知すると、もう一方の照明器具１０Ｂのタイマー動作を開始するが、タイマー動作時間経過後も引き続き互いの電流検知出力に基づいて両方の照明器具が点灯し続ける状態が続いてしまう。その原因となっているのは互いの電流検知出力の存在である。このため、本発明の実施形態では、相互制御型人感照明器具の制御部１７は、この点灯持続状態を停止させて両方の照明器具を消灯させるために、このような点灯持続状態の時に電流検知出力を遮断する機能をさらに備えている。
【００１３】
例えば、上述のように相互に接続された２つの相互制御型人感照明器具１０Ａ，１０Ｂのうちで一方の相互制御型人感照明器具がその人体検知に基づきタイマー動作に入った後に電流検知に基づき点灯した他方の相互制御型人感照明器具が人体を検知した時からその他方の相互制御型人感照明器具１０Ｂの制御部１７Ｂでタイマー動作が開始されるが、そのタイマー動作の終了時のタイミング(オフタイミング)で電流検知信号を遮断するための電流検知遮断信号を生成し、この遮断信号を用いて電流検知部１５Ｂの電流検知出力を遮断させることにより、相互に接続された２つの相互制御型人感照明器具１０Ａ，１０Ｂそれぞれの両方の照明負荷１４ａ，１４Ｂを一気に消灯させるようにする。
【００１４】
これは、図１に示す相互制御型人感照明器具１０が上述の図５に示す相互制御型人感照明器具１０に相当し後で点灯する人感照明器具であったとすると、マイコン１３によるタイマー動作がタイムアップするタイミング、即ちタイマー信号のオフタイミングでマイコン１３が電流検知遮断信号を生成し、遮断部２０ではこの遮断信号を用いて符号１９に示す電流検知信号ラインを一時的に遮断(オフ)することにより、実現される。これについては、後で再び説明する。各回路部の詳細な構成については、図３を参照して後に説明する。
【００１５】
本実施形態1では、電流検知部１５は、交流端子１に２本以上（図では２つ）順方向に直列に接続されたダイオードＤ4，Ｄ5と、これらの直列接続された複数のダイオードと逆方向に１本または複数（図では１本）直列接続されたダイオードＤ3とを並列接続し、順方向に直列に接続された複数のダイオードＤ4，Ｄ5の最初のアノードと最後のカソード間に発生する総合順方向電位でオン動作する発光素子（発光ダイオード）及び受光素子（フォトトランジスタ）からなるトランジスタ出力型のフォトカプラＰＣが並列接続され、更にこれらの並列接続された接続点の他端は電流検知端子３に接続される。電流検知端子３は、相互制御型人感照明器具１０と同一仕様のもう一方の第２の相互制御型人感照明器具の交流端子２に接続される。
【００１６】
そして、相互制御型人感照明器具１０を１つだけ用いて１箇所で人体を検知する場合は、図１の交流端子１と交流端子２とにそれぞれ商用交流電源ＡＣの２本のラインを接続すれば、人体検知センサーＰＥＤが人体を検知することによって人体検知信号が人体検知センサー部１２からオア回路１６を経てスイッチ素子Ｑ1のゲートに供給されて、スイッチ素子Ｑ1がオンし、商用交流電源ＡＣから照明負荷１４に電力が供給される。
【００１７】
また、図５に示すように、階段の上下や長い廊下上での照明を行う際に、２つの相互制御型人感照明器具１０Ａ，１０Ｂを用いて２箇所で人体を検知可能とし、２つの相互制御型人感照明器具１０Ａ，１０Ｂの間に、図２に示すような人体検知センサーＰＥＤを有しない子照明器具１０Ｃを１つ以上(図５では１つ)設置して、これら３つの照明器具１０Ａ〜１０Ｃに対して図５に示すように必要な配線を施す。そして、２箇所の相互制御型人感照明器具１０Ａ，１０Ｂうちどちらか一方の照明器具で人体を検知したとき、３箇所の照明器具を同時に点灯(又は消灯)する場合は、相互制御型人感照明器具１０Ａと全く同じ仕様の相互制御型人感照明器具１０Ｂを用意し、相互制御型人感照明器具１０Ａ，１０Ｂそれぞれを例えば家屋の階段の１階と２階に配置し、子照明器具１０Ｃを途中の踊り場に配置し、相互制御型人感照明器具１０Ａの交流端子１を商用交流電源ＡＣの一方のライン(接地側)に接続し、相互制御型人感照明器具１０Ｂの交流端子１を商用交流電源ＡＣのもう一方のライン(ライン側)に接続し、子照明器具１０Ｃの交流端子１，２をそれぞれ交流電源ＡＣの２本の電源ラインに接続し、相互制御型人感照明器具１０Ａの交流端子２を子照明器具１０Ｃの電流検知端子３に接続し、子照明器具１０Ｃの電流検知端子４を相互制御型人感照明器具１０Ｂの電流検知端子３に接続し、相互制御型人感照明器具１０Ａの電流検知端子３を相互制御型人感照明器具１０Ｂの交流端子２に接続する。このような配線によれば、１階又は２階の一方の相互制御型人感照明器具１０Ａ又は１０Ｂの人体検知センサーＰＥＤ-A又はＰＥＤ-Bが人体を検知することによって結果として１階及び２階の相互制御型人感照明器具１０Ａ，子照明器具１０Ｃ及び相互制御型人感照明器具１０Ｂが共にオンし、商用交流電源ＡＣから照明負荷１４Ａ，１４Ｃ及び１４Ｂに電力が供給され、３箇所の照明器具１０Ａ〜１０Ｃを同時に点灯することができる。また、この同時点灯している状態で、１階又は２階の一方の相互制御型人感照明器具１０Ａ又は１０Ｂの人体検知センサーＰＥＤ-A又はＰＥＤ-Bが人体を検知することによって、３箇所の照明器具を同時に消灯することができる。
【００１８】
なお、上記配線による２箇所での人体検知及び点灯・消灯については、後に詳しく説明する。
【００１９】
図２は図１の人体検知センサー付き相互制御型人感照明器具と共に使用される人体検知センサーを有しない子照明器具１０Ｃの概略的な回路構成図を示している。図１と同一部分には同一符号を付して説明する。
【００２０】
図２に示す子照明器具１０Ｃは、人体検知センサーＰＥＤ，人体検知センサー部１２，オア回路１６，遮断部２０及びマイコンＩＣ2によるタイマー機能を備えてなく、電流検知部１５による電流検知信号によってのみ照明負荷１４を点灯及び消灯する機能を備えているだけである。子照明器具１０Ｃは、電流検知部１５で電流検知されているときの電流検知信号をマイコンＩＣ2が受け取ると、マイコンＩＣ2はこの電流検知信号のみに基づいてスイッチ素子Ｑ1のゲートに対して点灯オンの制御信号を供給して、スイッチ素子Ｑ1をオンし照明負荷１４を点灯させ、電流検知信号が無くなるとマイコンＩＣ2は点灯オフの制御信号をスイッチ素子Ｑ1に供給して、スイッチ素子Ｑ1をオフし照明負荷１４を消灯させる。
【００２１】
図３は図１の人体検知センサー付き相互制御型人感照明器具の詳細な回路構成を示す回路図である。
【００２２】
図３において、相互制御型人感照明器具１０は、交流端子１と、交流端子２と、電流検知端子３と、交流電源ＡＣにより整流化した直流電源電圧を得て、照明負荷１４，制御部１７及び人体検知センサー部１２に供給するための電源部１１と、複数のＬＥＤを直列接続して構成される照明負荷１４と、制御部１７からの点灯制御信号に基づいて、照明負荷１４を点灯又は消灯させるスイッチ素子Ｑ1と、電源部１１からの整流直流電圧を電源として動作し、焦電センサーで構成される人体検知センサーＰＥＤを含み、その出力を増幅し人体からの赤外線を検知する人体検知センサー部１２と、電流検知部１５と、制御部１７と、を備えている。
【００２３】
なお、図１には記載していないが、図３の詳細構成には、破線にて示すように、人体を検知したときに点灯する際の前提条件として、周囲の明るさ(照度)が所定値より低い(暗い)ときに照明負荷１４を自動点灯させるために、周囲の明るさを検出(測定)する明るさセンサー回路を設けた回路例を示してある。明るさセンサー回路は、照度センサーＩＣ5と抵抗Ｒ23とコンデンサＣ9とを備えて構成され、そのセンサー出力がマイコンＩＣ2に供給されて明るさが検出される。
【００２４】
上記制御部１７は、人体検知センサー部１２で人体を検知したときに、これに基づいてマイコンＩＣ2内で所定時間幅のタイマー信号を生成してタイマー制御を可能とする機能と、また図５に示すような２つの相互制御型人感照明器具１０Ａ，１０Ｂと少なくとも1つの子照明器具１０Ｃを用意してどちらか一方での人体検知によって一方の相互制御型人感照明器具(例えば１０Ａ)が点灯した際に発生する負荷電流(点灯電流)に基づいて子照明器具１０Ｃ及びもう一方の相互制御型人感照明器具(例えば１０Ｂ)での点灯を促す電流検知信号を電流検知部１５及びその出力部１５-1で発生してマイコンＩＣ2に供給し、該電流検知信号に基づいた点灯制御を可能とする機能と、前記タイマー信号と前記電流検知信号との論理和(オア)をマイコンＩＣ2内でとり、点灯制御信号としてスイッチ素子Ｑ１に供給する機能と、さらに２つの相互制御型人感照明器具１０Ａ，１０Ｂのうちの一方の照明器具１０Ａが人体検知にて点灯し他方の照明器具１０Ｂが電流検知にて点灯して同時点灯した後に、他方の照明器具１０Ｂが人体を検知してタイマー動作に入り所定時間後にタイマーオフしても電流検知信号の存在によって同時点灯を持続している場合ではタイマーオフのタイミングを基に強制的に同時消灯させるべく電流検知信号の一時的な遮断動作を行う機能と、を有している。
【００２５】
上記電源部１１は、商用交流電源ＡＣ(図示略)に基づいた二系統の電源回路を有している。交流端子１と交流端子２との間には、バリスター等のサージ吸収素子ＺＮＲと、抵抗Ｒ0及びネオン管１８の直列回路とが並列に接続されている。二系統の電源回路のうちの第１の電源回路(図１の符号１１-1に相当)は、ＬＥＤ等の照明負荷１４の直流電源回路であって、交流端子１と交流端子２との間に、抵抗Ｒ1と、抵抗Ｒ2及びコンデンサＣ1の並列回路と、全波整流回路である全波整流ダイオードブリッジＤＢとが直列に接続され、全波整流ダイオードブリッジＤＢの＋端子から出力される全波整流出力は電流制限用抵抗Ｒ5を介して複数のＬＥＤを直列接続した照明負荷１４の入力端に供給される。なお、全波整流ダイオードブリッジＤＢの−端子は、全波整流回路ＤＢの二次側(直流出力側)の基準電位点(ＧＮＤ)として機能する。
【００２６】
二系統の電源回路のうちの第２の電源回路(図１の符号１１-2に相当)は、制御部１７の電源回路であって、交流端子１と交流端子２との間に、抵抗Ｒ3，Ｒ4及びダイオードＤ1，Ｄ2による半波整流回路が形成され、その整流出力端には定電圧ダイオードＺＤ及び充電コンデンサＣ2の並列回路が接続され、その定電圧出力はレギュレータ用の直流電源電圧としてレギュレータＩＣ1に供給され、レギュレータＩＣ1の出力側に並列接続されたコンデンサＣ3を介して安定化直流電源電圧として出力され、制御部１７に供給される。
【００２７】
照明負荷１４は複数(図では６個)のＬＥＤを備え、その出力端はＮＭＯＳＦＥＴなどのスイッチ素子Ｑ1のドレインに接続し、そのソースは全波整流ダイオードブリッジＤＢの−端子に接続している。スイッチ素子Ｑ1のゲート・ソース間には抵抗Ｒcが接続されている。スイッチ素子Ｑ1のゲートには、制御部１７からの点灯制御信号が供給される。スイッチ素子Ｑ1としては、ＳＣＲを用いることも可能であるが、ＭＯＳＦＥＴに比べて消灯時のオフ動作に若干時間を要する。
【００２８】
また、交流端子１と電流検知端子３との間には、電流検知部１５が接続されている。即ち、交流端子１と電流検知端子３との間には、２本のダイオードＤ4，Ｄ5が順方向に直列接続され、更にダイオードＤ3がダイオードＤ4，Ｄ5とは逆方向に並列に接続され、更に、交流端子１と電流検知端子３との間には、分流用の抵抗Ｒ7が接続される一方、トランジスタ出力型のフォトカプラＰＣの一次側発光素子である発光ダイオードが並列に接続された構成となっている。フォトカプラＰＣは一次側の発光ダイオードと二次側のフォトトランジスタを組合せて一対としたもので構成されている。
【００２９】
電流検知部１５のフォトトランジスタの出力端に接続した出力部１５-1は、制御部１７の一部とされており、微弱な電流検知信号を増幅して出力する機能を有している。出力部１５-1は、フォトカプラＰＣの二次側のフォトトランジスタのコレクタが抵抗Ｒ10を介してベースに接続され、エミッタがレギュレータＩＣ1の出力電圧ＶDのラインに接続したｐｎｐ型トランジスタＱ2と、ベースがトランジスタＱ2のコレクタに接続し、コレクタがレギュレータＩＣ1の出力電圧ＶDのラインに接続し、エミッタが抵抗Ｒ11とＲ12の接続点に接続したｎｐｎ型トランジスタＱ3とで構成されるダーリントン接続回路を備え、前記フォトカプラＰＣの二次側受光素子であるフォトトランジスタのコレクタ出力を抵抗Ｒ10を介して前記トランジスタＱ2のベースに入力し、トランジスタＱ3のエミッタ出力を遮断部２０を構成するトランジスタＱ4のコレクタに対して抵抗Ｒ11，Ｒ12及びコンデンサＣ4の回路を介して供給すると同時にマイコンＩＣ2の端子INに供給している。遮断部２０内のトランジスタＱ4のエミッタは前述の全波整流回路ＤＢの二次側の基準電位点(グランド)ラインに接続し、ベースはマイコンＩＣ2の端子outに接続しその端子outからトランジスタＱ4のベースに対して電流検知遮断信号が供給可能となっている。
【００３０】
交流端子１と電流検知端子３との間に電流(この電流は後述するがもう一方の相互制御型人感照明器具１０がオンしたときに照明負荷１４を通して流れる負荷電流に相当する)が流れると、ダイオードＤ4及びＤ5のアノード，カソード間に順方向電圧（ダイオード１個の順方向電圧が０．６Ｖであるので約１．２Ｖ）が発生するので、フォトカプラＰＣの一次側の発光ダイオードに電流が流れる。この結果、二次側のフォトトランジスタにコレクタ電流が流れ、その電流がトランジスタＱ2，Ｑ3のダーリントン接続された増幅回路で増幅される。この結果、トランジスタＱ2のエミッタに接続した抵抗Ｒ11にはフォトカプラＰＣの出力トランジスタに流れる電流の数千倍増幅された直流電流が流れ電流検知信号として抵抗Ｒ12を介してマイコンＩＣ2の端子ＩＮに入力される。
【００３１】
このように、２つのダイオードＤ4及びＤ5の直列回路を流れる電流によって生ずる順方向電圧降下によってフォトカプラＰＣの発光ダイオードは点灯する。しかし、逆方向の１つのダイオードＤ3に流れる逆方向の電流によって生ずる電圧降下によってはフォトカプラの発光ダイオードは点灯しない。
【００３２】
人体検知センサー部１２は、前方に集光レンズを配した焦電センサーと呼ばれる人体検知センサーＰＥＤと、そのセンサー出力を数千倍に増幅する増幅部２１と、を有して構成されている。
【００３３】
人体検知センサーＰＥＤは、人体から放射される熱線である赤外線を検出し、微弱な電圧として出力することができる。人体検知センサーＰＥＤは第１〜第３の３本の端子を備えており、第１の端子には前記レギュレータＩＣ1の出力電圧ＶDを抵抗Ｒ14を介して供給し、第２の端子には基準電位点GNDのラインが接続し、第３の端子からは、赤外線を検出した時にこれに対応した微弱な検知電圧がセンサー出力として出力される。センサー出力は、抵抗Ｒ15及び抵抗Ｒ16からなる入力回路を経てオペアンプＩＣ3，コンデンサＣ5，Ｃ6，抵抗Ｒ18，Ｒ17からなる第１段増幅部で増幅され、さらに抵抗Ｒ19，コンデンサＣ7，オペアンプＩＣ4，コンデンサＣ8，抵抗Ｒ20，分圧抵抗Ｒ21，Ｒ22からなる第２段増幅部で増幅されることによって数千倍に増幅され、人体検知信号としてマイコンＩＣ2のＡ／Ｄ端子に入力される。
【００３４】
図４は図１の人体検知センサー付き相互制御型人感照明器具と共に使用される人体検知センサーを有しない子照明器具１０Ｃの詳細な回路構成の一例を示す回路図である。図３と同一部分には同一符号を付して説明する。
【００３５】
図４に示す子照明器具１０Ｃの構成は、図３に示した相互制御型人感照明器具と比較すると、相互制御型人感照明器具１０から、人体検知センサーＰＥＤを含む人体検知センサー部１２、及び電流検知信号を遮断するための遮断部２０を削除した構成となっており、電流検知部１５におけるフォトカプラＰＣの一次側を構成するダイオード群(発光ダイオードも含む)は、電源部１１と電気的に非接続とされ、独立している。その非接続部分は電流検知用の端子３としている。マイコンＩＣ2からは図示しない人体検知センサー付きの２つの相互制御型人感照明器具の何れか一方が人体検知にて点灯することによって子照明器具１０Ｃの電流検知部１５の電流検知信号に基づいて子照明器具１０Ｃも点灯することが可能となっている。
【００３６】
図５は、２つの人体検知センサー付き相互制御型人感照明器具１０Ａ，１０Ｂの間に、人体検知センサーを有しない子照明器具を配線接続した構成を示す構成図である。ここでは、２つの相互制御型人感照明器具１０Ａ，１０Ｂの各部の符号にはＡ，Ｂを付し、子照明器具１０Ｃの各部の符号にはＣを付して説明する。
【００３７】
ただし、図５に示す相互制御型人感照明器具１０Ａ，１０Ｂでは、図１に示した相互制御型人感照明器具の制御部分での構成の表現が異なっているが、図５に示すマイコンＩＣ2は、人体検知センサー検知信号と電流検知信号との論理和(オア)機能、及び電流検知信号の遮断機能を備えているものとして簡略化した図を示している。図５に示す相互制御型人感照明器具と図１に示した相互制御型人感照明器具の構成は、機能的には同様である。
【００３８】
図５において、相互制御型人感照明器具１０Ａの 交流端子１は交流電源ＡＣの接地側に接続し、交流端子２は子照明器具１０Ｃの電流検知端子３に接続する。相互制御型人感照明器具１０Ａの電流検知部１５Ａの電流検知端子３は相互制御型人感照明器具１０Ｂの交流端子２に接続する。子照明器具１０Ｃの交流端子１，２はそれぞれ交流電源ＡＣの接地側，ライン側に接続する。子照明器具１０Ｃの電流検知部１５Ｃの電流検知端子４は相互制御型人感照明器具１０Ｂの電流検知部１５Ｂの交流端子３に接続する。相互制御型人感照明器具Ｂの交流端子１は交流電源ＡＣのライン側に接続される。
【００３９】
交流端子１と交流端子２との間にネオン管ＮＥを接続し、電気工事終了後、交流電源ＡＣから電源供給した時点で、ネオン管ＮＥの点灯を確認することで、配線工事が正しく行なわれたか否かのチェックを行なえる。これは、相互制御型人感照明器具１０Ａと相互制御型人感照明器具Ｂは全く同一仕様のものであるにも関わらず、一方の人感照明器具１０Ａの交流端子１の接続はＡＣの接地側で、他方の人感照明器具Ｂの交流端子１の接続はＡＣのライン側となるため、電気工事での接続誤りが起こりやすい問題を解決するためである。
【００４０】
なお、図５には、２つの親照明器具としての２つの相互制御型人感照明器具１０Ａ，１０Ｂの間に、１つの子照明器具１０Ｃのみが設置された構成を示しているが、同一仕様の複数の子照明器具１０Ｃを用意し、複数の子照明器具１０Ｃにおける、各々の交流端子１，２は交流電源ＡＣの２本の電源ラインにそれぞれ接続し、各々の電流検知部１５Ｃの電流検知端子３，４の接続については、最初の第１の子照明器具の端子(３，４)のうちの端子４を次の第２の子照明器具の端子(３，４)のうちの端子３に接続し、第２の子照明器具の端子(３，４)のうちの端子４を次の第３の子照明器具の端子(３，４)のうちの端子３に接続し、……というように直列に接続することによって容易に増設することができる。
【００４１】
次に、図６を参照して図５の動作を説明する。図６は図５において設置された全ての照明器具の同時点灯及び同時消灯の動作を説明するタイミングチャートである。
【００４２】
今、相互制御型人感照明器具１０Ａの人体検知センサーＰＥＤ-Aが人体を検知して、照明負荷１４ＡとしてのＬＥＤを点灯させる環境照度となっている場合を想定する。このとき、相互制御型人感照明器具１０ＡのマイコンＩＣ2Aが照明負荷１４Ａとしての照明用ＬＥＤを一定時間点灯させるためにタイマー出力をオンする。この結果、交流電源ＡＣの一端ｅ側が＋のときを考えると、照明用ＬＥＤを点灯させるスイッチ素子Ｑ1AがオンしてＬＥＤ１４Ａが点灯すると、交流電源ＡＣの一端ｅからの電流が相互制御型人感照明器具１０Ａの交流端子１から電源部１１-１Aを経てＬＥＤ１４Ａを介しスイッチ素子Ｑ1Aを通り更に電源部１１-１Aを通り交流端子２を経て、子照明器具１０Cの電流検知端子３に流れ、電流検知端子３から電流検知部１５CのダイオードＤ4及びＤ5を介しその電流検知端子４を経て相互制御型人感照明器具１０Ｂの電流検知端子３から電流検知部１５ＢのダイオードＤ3を通り、交流電源ＡＣの他端ｆに流れる。この結果、相互制御型人感照明器具１０Cの電流検知部１５Cで電流検知出力が発生して相互制御型人感照明器具１０C，１０ＢのマイコンＩＣ2C’に出力され、ＬＥＤの点灯指令信号としてスイッチ素子Ｑ1Cのゲートに供給されてＱ1Cがオンするため、交流電源ＡＣの一端ｅから相互制御型人感照明器具１０CのＬＥＤに電流が流れＬＥＤ１４Ｃが点灯する。このとき、１０Ｃの電流検知部１５ＣのフォトカプラＰＣ-C内のフォトトランジスタの出力部１５-1(図４参照)から増幅電流が制御部１７’内のコンデンサＣ4に充電される。次の半サイクルでは、交流電源ＡＣの一端ｆ側が＋に転ずると、ｆ側から１０Ｂの電流検知部１５ＢのダイオードＤ4及びＤ5を経由して１０Ｃの電流検知部１５Ｃの端子４からダイオードＤ3を通り端子３を経て、１０Ａの交流端子２に入り１０ＡのＬＥＤ１４Ａを点灯させて１０Ａの端子１から他端ｅに電流が流れるので、１０Ｂの電流検知部１５Ｂに電流検知出力が発生し、１０Ｂはこの電流検知信号でＬＥＤ１４Ｂを点灯する。このとき、１０Ｂの電流検知部１５ＢのフォトカプラＰＣ-B内のフォトトランジスタの出力部１５-1(図３参照)から増幅電流が遮断部２０内のコンデンサＣ4に充電される。
【００４３】
更に、次の交流サイクルの半サイクルでは、既に前の交流サイクルでＬＥＤ１４Ａ，１４Ｃ，１４Ｂが点灯状態にありこれが維持されている。これは、各電流検知部１５Ａ，１５Ｃ，１５Ｂの出力がコンデンサＣ4に充電された電荷によって少なくとも次の交流半サイクルは電圧レベルが維持されるためである。ｅ側が＋に転じると、ｅ側から電流が１０Ａの交流端子１，ＬＥＤ１４Ａ及びスイッチ素子Ｑ1Aを通り、交流端子２へ流れると同時に、電流は交流端子１から電流検知部１５ＡのダイオードＤ4及びＤ5を通り、電流検知端子３へ流れる。１０Ａの交流端子２から流れ出た電流は、１０Ｃの電流検知端子３に入り電流検知部１５ＣのダイオードＤ4及びＤ5を通り電流検知端子４を経て１０Ｂの電流検知端子３に入り電流検知部１５ＢのダイオードＤ3を通って交流端子１から交流電源ＡＣのｆ側に流れ、一方１０Ａの電流検知端子３から流れ出た電流は、１０Ｂの交流端子２に入り、ＬＥＤ１４Ｂ及びスイッチ素子Ｑ1Bを通り、交流端子１を経て交流電源ＡＣのｆ側に流れる。次の半サイクルでは、ｆ側が＋に転じ、前の半サイクルと同様な手順で交流電源ＡＣのｆ側から電流が相互制御型人感照明器具１０Ｂ側の交流端子１に入り子照明器具１０Ｃを経て相互制御型人感照明器具１０Ａ側へ流れ、１０Ａ側の交流端子１から交流電源ＡＣのｅ側へ帰還することになる。
【００４４】
このようにして、相互制御型人感照明器具１０Ａのタイマー出力がオンの期間、相互制御型人感照明器具１０Ａ，子照明器具１０C及び相互制御型人感照明器具１０Ｂの全ての照明用ＬＥＤは点灯する。
【００４５】
この時、相互制御型人感照明器具１０Ａ，１０Ｂのうち例えば電流検知部の出力でＬＥＤが点灯させられた方、ここでは相互制御型人感照明器具１０ＢにおけるマイコンＩＣ2BにＬＥＤ消灯権を保持(設定)させるようにする。ここで、ＬＥＤ消灯権とはＬＥＤを消灯させる権限(権利)をいう。ＬＥＤ消灯権が設定された方の例えば相互制御型人感照明器具１０Ｂは、自身のマイコンＩＣ2Bのタイマーオフのタイミングで電流検知部１５Ｂの電流検知出力をオフにすることができる。
【００４６】
相互制御型人感照明器具１０ＡのマイコンＩＣ2Aのタイマーがタイムアップになると、相互制御型人感照明器具１０ＡのマイコンＩＣ2AにはＬＥＤ消灯権が保持(設定)されていないので、マイコンＩＣ2Aのタイマーオフのタイミングで電流検知部１５Ａの電流検知出力をオフにできず、以降、相互制御型人感照明器具１０Ａと子照明器具１０Cと相互制御型人感照明器具１０Ｂとの間で電流検知部１５Ａ，１５C及び１５Ｂの出力が維持されることで照明負荷１４Ａ，１４C及び１４Ｂが点灯し続けることになる。
【００４７】
遮断部２０の遮断動作においては、電流検知電圧を生成しているコンデンサＣ4に充電された電荷をトランジスタＱ4のオンによって放電させる必要がある。
【００４８】
ところが、階段を登りきった(又は降りきった)所に相互制御型人感照明器具１０Ｂが設置されていて、１０Ｂ側で人体検知センサーＰＥＤ-Bが人体を検知すると、１０Ｂ側のＩＣ2Bのタイマー機能が動作し、タイムアップまで照明負荷１４Ａ，１４Ｂは更に延長して点灯するが、１０Ｂ側のＩＣ2BにはＬＥＤ消灯権が設定されているので、図６に示すようにタイムアップと同時に電流検知遮断信号を生成して相互制御型人感照明器具１０Ｂの遮断部２０ＢのトランジスタＱ４(図３参照)をオンにして電流検知部１５Ｂの電流検知出力(Ｃ4の充電電圧)を一瞬グランド側に短絡する。この結果、相互制御型人感照明器具１０Ｂの照明負荷１４Ｂを点灯させる２つの要素、即ち、タイマー出力及び電流検知出力が共に無くなるので照明負荷１４Ｂは消灯する。このように１０Ｂ側のタイマー出力がオフするタイミングで確実に照明負荷１４Ｂを消灯させるためトランジスタＱ４を極短時間オン状態にして電流検知出力を遮断(オフ)にする。これにより、１０Ｂ側のスイッチ素子Ｑ1Bへの電流検知出力が無くなるので、照明負荷１４Ｂは消灯し、１０Ａ側の電流検知部１５Ａは電流検知信号を出力できず、結果として１０Ａ側の照明負荷１４Ａも消灯する。結果として１０C側の照明負荷１４Cも消灯する。このようにして相互制御型人感照明器具１０Ａ，子照明器具１４C及び相互制御型人感照明器具１０Ｂにおける照明負荷１４Ａ，１４C及び１４Ｂの同時点灯及び同時消灯を実現することができる。
【００４９】
以上述べた第１の実施形態では、照明負荷であるＬＥＤのスイッチ素子Ｑ1がＭＯＳＦＥＴの場合(図３参照)について説明したが、スイッチ素子Ｑ1は例えばサイリスタ(ＳＣＲ)であってもよい。
【００５０】
図７はタイマー出力のオフタイミングを基に生成する電流検知遮断信号のパルス幅を、スイッチ素子Ｑ1として用いる素子の種類に応じて変更する必要があることの説明図である。
照明用ＬＥＤのスイッチ素子Ｑ1が例えばＳＣＲの場合は、ＳＣＲのゲートに供給する電流検知遮断信号の遮断期間は、タイマー出力のオフタイミングから図７の点線にて示す広いパルス幅とする必要がある。この場合のパルス幅は、商用交流電源ＡＣの半周期(＝全波整流電源の１周期)以上、例えば交流電源が５０Ｈｚの場合、最小１０ミリ秒、６０Ｈｚでは９ミリ秒以上としてＳＣＲの保持電流による導通が停止するのを待つ必要がある。スイッチ素子Ｑ1がパワーＭＯＳＦＥＴの場合は、上記の待ち時間は必要がないので、より短い時間(図７の実線にて示す狭いパルス幅)で確実にＬＥＤの消灯を実現できる。
【００５１】
なお、特殊なケースとして最初に相互制御型人感照明器具１０Ａ(又は１０Ｂ)の人体検知センサーが動作してＬＥＤが点灯しても、人がもう一方の相互制御型人感照明器具１０Ｂ(又は１０Ａ)に到達せず引き返し、一定期間階段から遠ざかった場合、最後の人体検知信号から例えば５分間程度何ら人体検知センサーの応答が無い場合、先に点灯した相互制御型人感照明器具１０Ａ(又は１０Ｂ)に消灯権が発生しないが、強制終了（消灯）させるようにする。
【００５２】
［第２の実施形態］
図８は本発明の第２の実施形態の親子制御型人感照明システムに用いられる人体検知センサー付き相互制御型人感照明器具の詳細な回路構成を示す回路図を示している。 図３と同一部分には同一符号を付してある。
【００５３】
本第２の実施形態は、電流検知部１５として電流トランス(ＣＴ)を利用した場合の構成を示している。交流端子１と電流検知端子３との間に、ＣＴの一次側コイルを接続し、二次側コイルの両端間に、電流制限用抵抗Ｒ8とフォトカプラＰＣの一次側発光ダイオードを直列に接続した構成となっている。その他の構成は図３と同様であり、また機能についても、図３の複数のダイオードを利用した電流検知部１５と同等である。
【００５４】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【産業上の利用可能性】
【００５５】
本発明は、階段の上下に設置される階段灯の途中に１つ以上の子照明器具を配置する場合のみならず、長い廊下等の通路上の両端に配置した２つの相互制御型人感照明器具の中間に一般の複数の照明器具を子照明器具として電流検知部と共に配設して全ての照明器具を一度にオン又はオフ制御する照明施設に応用可能である。子照明器具として使用する一般の複数の照明器具は低コストのもので済む利点も有している。
【符号の説明】
【００５６】
１…交流端子、２…交流端子、３…電流検知端子、１０，１０Ａ，１０Ｂ…相互制御型人感照明器具(親照明器具)、１０C…人体検知センサーを有しない照明器具(子照明器具)、１１…電源部、１２…人体検知センサー部、１４…照明負荷(ＬＥＤ)、１５…電流検知部、１６…オア回路、１７…制御部、１９…電流検知信号ライン、２０…遮断部、ＩＣ2…マイコン、ＰＥＤ…人体検知センサー、Ｑ1…スイッチ素子。
【図１】
2012084233.tif 000003
【図２】
2012084233.tif 000004
【図３】
2012084233.tif 000005
【図４】
2012084233.tif 000006
【図５】
2012084233.tif 000007
【図６】
2012084233.tif 000008
【図７】
2012084233.tif 000009
【図８】
2012084233.tif 000010